(57)【要約】【課題】ユーザーの利便性を向上し得るペースメイカー用保護帯を提供する。【解決手段】保護帯１０は、身体ｈの胸部周辺を覆うように配置される胸当て部２０と、胸当て部に連結される背面部３０と、胸当て部に設けられたポケット内に収容され、電磁波をシールする電磁波防止シートを内包するクッション部材８０と、を有している。【選択図】図１
0003161705.tif 000002
【実用新案登録請求の範囲】
【請求項１】
心臓用ペースメイカーを電磁波から保護する保護帯であって、
身体の胸部周辺を覆うように配置される胸当て部と、
前記胸当て部と対にして設けられ、身体の背中の側に配置される背面部と、
前記胸当て部と前記背面部とを身体の脇下周辺において連結可能な第１連結部と、
前記胸当て部と前記背面部とを身体の肩部周辺において連結可能な第２連結部と、
前記胸当て部に取り付けられた第１紐部材と、
前記背面部に取り付けられ、前記第１連結部が連結される箇所と胴体周りの反対方向の側において前記第１紐部材と接続可能な第２紐部材と、
前記胸当て部に設けられたポケット内に収容され、電磁波をシールするシート部材を内包するクッション部材と、を有することを特徴とするペースメイカー用保護帯。
【請求項２】
前記クッション部材は、身体の胸部の形状に合わせて形成された湾曲した面形状を有することを特徴とする請求項１に記載のペースメイカー用保護帯。
【請求項３】
前記第２連結部は、面ファスナーを有することを特徴とする請求項１または請求項２に記載のペースメイカー用保護帯。
【考案の詳細な説明】
【技術分野】
【０００１】
本考案は、ペースメイカー用保護帯に関する。
【背景技術】
【０００２】
心臓用ペースメイカーが植え込まれた患者は、日常生活において手術後の胸部周辺を外部から加えられる衝撃から保護する必要がある。例えば、折り畳んだ布を胸部周辺に貼り付けて衝撃を緩和させる等の対策が講じられる。また、患者は生活環境内に存在する電磁波から心臓用ペースメイカーを保護し、誤作動が生じることを防止するための対策を講じることが必要となる。
【０００３】
心臓用ペースメイカーの誤作動の防止にあたり、電磁波を遮断する機能を備える衣服等の保護具の提供が試みられている（特許文献１を参照）。特許文献１では、メッシュ状に編み込まれた電磁波遮断ネットを利用したインナーウエアを開示している。
【先行技術文献】
【特許文献】
【０００４】
【特許文献１】特開２００４−１８１２５１号公報
【考案の概要】
【考案が解決しようとする課題】
【０００５】
患者であるユーザーが上記インナーウエアを着用することにより、心臓用ペースメイカーを電磁波から保護することは可能になる。しかしながら、ユーザーの胸部に対して外部から加えられる衝撃を十分に低減させることができない。衝撃を緩和させるための布等を身体の胸部周辺にユーザーが別途に装着することが必要になるため、ユーザーの利便性の低下を招いてしまう。
【０００６】
本考案は上記課題を解決するためになされたものであり、ユーザーの利便性を向上し得るペースメイカー用保護帯を提供することを目的とする。
【課題を解決するための手段】
【０００７】
上記目的を達成するための本考案は、心臓用ペースメイカーを電磁波から保護する保護帯であって、身体の胸部周辺を覆うように配置される胸当て部と、胸当て部と対にして設けられ、身体の背中の側に配置される背面部とを有する。さらに、胸当て部と背面部とを身体の脇下周辺において連結可能な第１連結部と、胸当て部と背面部とを身体の肩部周辺において連結可能な第２連結部とを有する。また、胸当て部に取り付けられた第１紐部材と、背面部に取り付けられ、第１連結部が連結される箇所と胴体周りの反対方向の側において第１紐部材と接続可能な第２紐部材とを有する。そして、胸当て部に設けられたポケット内に収容され、電磁波をシールするシート部材を内包するクッション部材を有する。
【考案の効果】
【０００８】
心臓用ペースメイカーを電磁波から保護する機能、および身体の胸部を外部衝撃から保護する機能の両機能を備えるペースメイカー用保護帯を提供することによって、保護帯を利用するユーザーの利便性の向上を図ることができる。
【図面の簡単な説明】
【０００９】
【図１】実施形態に係るペースメイカー用保護帯の使用状態を示す図であり、図１（Ａ）は、身体を胸部の側から見た図、図１（Ｂ）は、身体を背中の側から見た図である。
【図２】実施形態に係るペースメイカー用保護帯の外観図であり、図２（Ａ）は、装着時に外観をなす表面を示す図、図２（Ｂ）は、装着時に身体の側に配置される裏面を示す図である。
【図３】実施形態に係るクッション部材を示す図であり、図３（Ａ）は、クッション部材の外観図、図３（Ｂ）は、図３（Ａ）に示す矢印３Ｂ方向から見た矢視図、図３（Ｃ）は、図３（Ａ）に示す３Ｃ−３Ｃ線に沿う断面を拡大して示す図である。
【考案を実施するための形態】
【００１０】
以下、添付した図面を参照しながら、本考案の実施形態を説明する。なお、図面の説明において同一の要素には同一の符号を付し、重複する説明を省略する。また、図面の寸法比率は、説明の都合上誇張されており、実際の比率とは異なる場合がある。
【００１１】
実施形態では、本考案に係るペースメイカー用保護帯１０を心臓用ペースメイカーが植え込まれた患者であるユーザーに適用している（図１を参照）。
【００１２】
図１〜３を参照して、実施形態に係るペースメイカー用保護帯（以下、単に「保護帯」と記す）１０は、概説すれば、身体ｈの胸部周辺を覆うように配置される胸当て部２０と、胸当て部２０と対にして設けられ、身体ｈの背中の側に配置される背面部３０と、胸当て部２０と背面部３０とを身体ｈの脇下周辺において連結可能な第１連結部４１と、胸当て部２０と背面部３０とを身体ｈの肩部周辺において連結可能な第２連結部５２と、胸当て部２０に取り付けられた第１紐部材６１と、背面部３０に取り付けられ、第１連結部４１が連結される箇所と胴体周りの反対方向の側において第１紐部材６１と接続可能な第２紐部材６２と、胸当て部２０に設けられたポケット２１内に収容され、電磁波をシールする電磁波防止シート（シート部材に相当する）７０を内包するクッション部材８０（図３（Ｃ）を参照）と、を有している。保護帯１０のクッション部材８０は、身体ｈの胸部の形状に合わせて形成された湾曲した面形状を有している（図３（Ｂ）を参照）。保護帯１０の第２連結部５２には、面ファスナー５５を設けている（図２を参照）。
【００１３】
図１（Ａ）、（Ｂ）を参照して、保護帯１０を装着させる身体ｈとして、不整脈等の心臓疾患の治療に伴って心臓用ペースメイカーが植え込まれた成人男性の上半身を示す。心臓用ペースメイカーは、植え込み型除細動器とも称されるものであり、心臓に対して人工的な刺激を付与する電気刺激発生装置のことである。保護帯１０の胸当て部２０を配置させる身体ｈの胸部周辺とは、外部から加えられ得る衝撃を緩和させる対象となる部位であり、心臓用ペースメイカーが植え込まれた左胸周辺部位を意味するものである。
【００１４】
実施形態に係る保護帯について説明する。
【００１５】
図２（Ａ）、（Ｂ）を参照して、保護帯１０の胸当て部２０は、心臓用ペースメイカーが植え込まれた左胸の周辺を覆うことが可能な所定の外形形状を備える布材によって構成している。布材にはフェルトを利用している。胸当て部２０と対にして設けられる背面部３０は、胸当て部２０と略同一形状に形成している。背面部３０を構成する布材にもフェルトを利用している。
【００１６】
胸当て部２０と背面部３０との連結は、第１連結部４１および第２連結部５２を利用して行っている。
【００１７】
第１連結部４１は、胸当て部２０および背面部３０のそれぞれに連なるように一体的に形成している。第１連結部４１は、身体ｈに装着した状態において脇下に配置させている（図１をも参照）。脇下に配置した第１連結部４１と身体ｈの肩上に配置した第２連結部５２との間に腕をくぐらせるための袖口５７を形成させている。
【００１８】
第２連結部５２は、胸当て部２０の上部側（図２中の上方）の端部と、背面部３０の上部側の端部とによって構成している。第２連結部５２に設けた面ファスナー５５によって胸当て部２０と背面部３０との連結位置を調整することができる。これによって、袖口５７のサイズ調整を行うことができる。図示例にあっては、胸当て部２０に面ファスナー５５のループ面を設け、背面部３０に面ファスナー５５のフック面を設けている。
【００１９】
第１紐部材６１は、胸当て部２０の裏面に取り付けた紐によって構成している。紐には、一定の幅を有するように加工した布材を利用している。紐を構成する布材には、フェルトを利用している。
【００２０】
第２紐部材６２は、背面部３０の裏面に取り付けた紐によって構成している。第２紐部材６２は、第１紐部材６１と同様に、一定の幅を有するように加工したフェルトによって構成している。
【００２１】
クッション部材８０を収納するためのポケット２１は、胸当て部２０の裏面に設けている。ポケット２１の上端に設けた開口部２２からクッション部材８０を挿入する簡易な作業によってクッション部材８０の装着を行うことが可能になっている。クッション部材８０が不用意にポケット２１内から離脱することを防止するために、ポケット２１全体の形状を上端から下端に裾広がりとなるように形成している。ポケット２１は、身体ｈに直接触れる際の肌触りを考慮し、メッシュ状に加工された軟質のポリエステルによって構成している。
【００２２】
図３（Ａ）〜（Ｃ）を参照して、クッション部材８０は、電磁波防止シート７０に重ねて配置した緩衝材としてのキルティング綿８１と、電磁波防止シート７０およびキルティング綿８１を覆う布材８２とによって構成している。
【００２３】
電磁波防止シート７０およびキルティング綿８１を覆う布材８２は、クッション部材８０の外表面を構成する。この外表面をなす布材８２にはフェルトを利用している。布材８２の外周縁部を縫い付けることによってクッション部材８０の内部に電磁波防止シート７０、およびキルティング綿８１を内包させている。
【００２４】
クッション部材８０において身体ｈの胸部に向かい合うように配置される内面８５の面形状は、胸部全体の湾曲した凸形状に合わせて湾曲した凹形状に形成している。身体ｈの胸部に対するフィット感を向上させることが可能になっている。クッション部材８０の外面８７は、全体の面形状が外部に向けて湾曲した凸形状に形成している。外部から加えられた衝撃を湾曲した外面８７に沿わせて逃がすことができ、衝撃を緩和させる機能をより効果的に発揮させることが可能になっている。
【００２５】
電磁波防止シート７０には、所定の周波数の電磁波をシールするシール機能を備えたシート部材を利用している。シート部材は、磁性材料やアルミなどの金属材料を構成材料にするものであり、携帯電話機やＰＨＳ端末、ＰＣ等の電子機器から発せられる電磁波を遮蔽する機能を備える公知のものである。シート部材には薄い箔状に形成された柔軟性を備えるものを利用している。はさみやカッター等によって切断等の加工を行うことが可能になっている。シート部材を所定の形状に切断したものを電磁波防止シート７０として利用している。
【００２６】
実施形態に係る保護帯の使用方法について説明する。
【００２７】
図１（Ａ）、（Ｂ）を参照して、胸当て部２０のポケット２１内にクッション部材８０を挿入した保護帯１０を準備する。
【００２８】
第２連結部５２に設けた面ファスナー５５を利用して胸当て部２０と背面部３０とを連結させる。第１連結部４１と第２連結部５２との間に袖口５７を形成する。面ファスナー５５を利用することによって、胸当て部２０と背面部３０の連結、および袖口５７のサイズの調整を簡易に行うことができる。
【００２９】
袖口５７にユーザーの腕を通し、肩上に第２連結部５２を引っ掛けるようにして保護帯１０を装着する。ポケット２１内に挿入したクッション部材８０は、心臓用ペースメイカーが植え込まれた部位の周辺を覆うように配置させる。
【００３０】
胸当て部２０のポケット２１内に挿入したクッション部材８０の内面８５の面形状を、胸部全体の湾曲した凸形状に合わせて湾曲した凹形状に形成しているため、装着時における胸部へのフィット感を向上させることができる。ユーザーの快適性を向上させることができる。
【００３１】
胸当て部２０に取り付けた第１紐部材６１と、背面部３０に取り付けた第２紐部材６２とを結ぶ。第２連結部５２と胴体周りの反対方向の側において紐部材６１、６２同士を結び付ける。紐部材６１、６２を結び付けることによって装着後に保護帯１０が位置ずれすることを好適に防止することができる。
【００３２】
保護帯１０を装着したユーザーは、クッション部材８０に内包された電磁波防止シート７０によって心臓用ペースメイカーを電磁波から保護することが可能になる。さらに、胸部に対して外部から不用意に衝撃が加えられるような場合にもクッション部材８０によって衝撃を緩和させることができるため、胸部に大きな衝撃力が作用することを防止することが可能になる。
【００３３】
身体ｈから保護帯１０を脱着する際は、結び付けた第１紐部材６１と第２紐部材６２の結び目を解く。そして、面ファスナー５５によって連結された胸当て部２０と背面部３０とを切り離す。衣類を着用したユーザーが衣類の上から保護帯１０を装着する場合にも、面ファスナー５５および紐部材６１、６２を利用することによって、簡易に着脱を行うことができる。
【００３４】
以上のように、心臓用ペースメイカーを電磁波から保護する機能、および身体ｈの胸部を外部衝撃から保護する機能の両機能を備える保護帯１０を提供することによって、保護帯１０を利用するユーザーの利便性の向上を図ることができる。
【００３５】
胸当て部２０のポケット２１内に挿入したクッション部材８０の内面８５の面形状を、胸部全体の湾曲した凸形状に合わせて湾曲した凹形状に形成しているため、装着時における胸部へのフィット感を向上させることができ、ユーザーの快適性を向上させることができる。
【００３６】
第２連結部５２に設けた面ファスナー５５によって、胸当て部２０と背面部３０の連結および切り離し、袖口５７のサイズの調整を簡易に行うことができる。
【００３７】
上述した実施形態は適宜変更することが可能である。
【００３８】
第１連結部４１が胸当て部２０および背面部３０のそれぞれに連なるように一体的に形成された形態で説明を行ったが、第１連結部にボタンや面ファスナーを設けることによって第１連結部において胸当て部と背面部とを切り離し可能な構成とすることも可能である。
【００３９】
第１紐部材６１および第２紐部材６２には両者を結び付けることによって接続を行う簡素な紐を利用する形態で説明をおこなったが、例えば、紐部材に面ファスナーを設けたり、紐部材にベルト穴や所定の金具を取り付けてサイズ調整機能を付加したりする構成とすることも可能である。
【００４０】
第２連結部５２に取り付けた連結手段としての面ファスナー５５を、例えば、ボタンやサイズ調整機能を備えるベルトなどに置き換えた構成とすることも可能である。また、これらの連結手段を設けることなく、胸当て部および背面部のそれぞれに連なるように一体的に形成させた構成とすることも可能である。
【００４１】
保護帯の各部位を構成する布材は、実施形態において示したフェルトのみに限定されるものではなく、服飾製品等に用いられる公知の繊維材料等を適宜選択することが可能である。また、電磁波防止シートを内包するクッション部材の材質も、キルティング綿やフェルトのみに限定されるものではなく、胸部に加えられる外部衝撃を緩和し得る材質の物を適宜選択することが可能である。例えば、弾性的に変形することによって衝撃を吸収する樹脂材料からなるパッド等を利用することが可能である。
【符号の説明】
【００４２】
１０    保護帯（ペースメイカー用保護帯）、
２０    胸当て部、
２１    ポケット、
３０    背面部、
４１    第１連結部、
５２    第２連結部、
５５    面ファスナー、
５７    袖口、
６１    第１紐部材、
６２    第２紐部材、
７０    電磁波防止シート（シート部材）、
８０    クッション部材、
８１    キルティング綿、
８２    布材、
８５    内面、
８７    外面、
ｈ      身体。
【図１】
0003161705.tif 000003
【図２】
0003161705.tif 000004
【図３】
0003161705.tif 000005